(57)【特許請求の範囲】
【請求項１】
表示部と；
前記表示部に、基礎表示と、前記基礎表示に重ねられる追加表示と、を表示させる制御部と；
を具備し、
前記追加表示は、枠状の表示を含み、
前記制御部は、前記基礎表示と、前記追加表示と、が重なる領域においても前記基礎表示に対する入力を受け付けるが、前記基礎表示と、前記枠状の表示と、が重なる領域においては、前記基礎表示に対する入力を禁止することを特徴とする設定装置。
【請求項２】
前記制御部は、前記追加表示の透過率が、前記基礎表示の透過率よりも高くなるようにすることを特徴とする請求項１記載の設定装置。
【請求項３】
前記基礎表示は、所望の設定を行うための表示であり、
前記追加表示は、前記所望の設定を行う際に参照する表示、または、前記所望の設定を行った効果を確認する表示の少なくともいずれかをさらに含むことを特徴とする請求項１または２に記載の設定装置。
【請求項４】
請求項１〜３のいずれか１つに記載の設定装置と；
前記設定装置と電気的に接続された照明器具と；
前記設定装置に追加表示に関する情報を提供する情報機器と；
を具備したことを特徴とする電気機器。
【発明の詳細な説明】
【技術分野】
【０００１】
本発明の実施形態は、設定装置、および電気機器に関する。
【背景技術】
【０００２】
タッチパネルを備えた設定装置がある。  
タッチパネルを備えた設定装置とすれば、小型化や軽量化を図ることができる。  
一般的には、設定装置に設けられたタッチパネルに操作ボタンなどを表示し、表示された操作ボタンなどにタッチすることで、所望の情報を入力するようにしている。  
ここで、入力する情報や、入力する情報に関連する事項は、操作者が記憶していたり、書類などの資料に記載されていたりする。  
そのため、入力作業が煩雑となったり、誤入力が生じたりするおそれがある。  
そこで、入力作業の容易化を図ることができる設定装置、および電気機器の開発が望まれていた。
【先行技術文献】
【特許文献】
【０００３】
【特許文献１】特開２０１３−１０５５９３号公報
【発明の概要】
【発明が解決しようとする課題】
【０００４】
本発明が解決しようとする課題は、入力作業の容易化を図ることができる設定装置、および電気機器を提供することである。
【課題を解決するための手段】
【０００５】
実施形態に係る設定装置は、表示部と；前記表示部に、基礎表示と、前記基礎表示に重ねられる追加表示と、を表示させる制御部と；を具備している。
前記追加表示は、枠状の表示を含んでいる。
前記制御部は、前記基礎表示と、前記追加表示と、が重なる領域においても前記基礎表示に対する入力を受け付けるが、前記基礎表示と、前記枠状の表示と、が重なる領域においては、前記基礎表示に対する入力を禁止する。
【発明の効果】
【０００６】
本発明の実施形態によれば、入力作業の容易化を図ることができる設定装置、および電気機器を提供することができる。
【図面の簡単な説明】
【０００７】
【図１】本実施の形態に係る電気機器１００を例示するための構成図である。
【図２】本実施の形態に係る電気機器１００を例示するためのブロック図である。
【図３】表示部１２に表示された設定項目の削除を行うための画面を例示するための模式図である。
【図４】表示部１２に表示された設定項目の変更を行うための画面を例示するための模式図である。
【図５】表示部１２に表示されたバックアップデータの保存を行うための画面を例示するための模式図である。
【図６】（ａ）は、照明器具１０１毎の制御情報を入力するための基礎表示５０を例示するための模式図である。（ｂ）は、照明器具１０１毎の制御情報を入力するための追加表示５５を例示するための模式図である。
【図７】任意の基礎表示６０に所定の追加表示６５を重ねて表示する場合を例示するための模式図である。
【図８】任意の基礎表示７０に所定の追加表示７５を重ねて表示する場合を例示するための模式図である。
【図９】任意の基礎表示８０に所定の追加表示８５を重ねて表示する場合を例示するための模式図である。
【発明を実施するための形態】
【０００８】
実施形態に係る発明は、表示部と；前記表示部に、基礎表示と、前記基礎表示に重ねられる追加表示と、を表示させる制御部と；を具備した設定装置である。
前記追加表示は、枠状の表示を含んでいる。
前記制御部は、前記基礎表示と、前記追加表示と、が重なる領域においても前記基礎表示に対する入力を受け付けるが、前記基礎表示と、前記枠状の表示と、が重なる領域においては、前記基礎表示に対する入力を禁止する。
この設定装置によれば、入力作業の容易化を図ることができる。
また、操作者による誤入力を防止することができる。
【０００９】
また、前記制御部は、前記追加表示の透過率が、前記基礎表示の透過率よりも高くなるようにすることができる。  
この様にすれば、基礎表示の一部と、追加表示の一部とが重なったとしても、基礎表示の内容を読み取ることができる。
【００１０】
また、前記基礎表示は、所望の設定を行うための表示とすることができる。
前記追加表示は、前記所望の設定を行う際に参照する表示、または、前記所望の設定を行った効果を確認する表示の少なくともいずれかをさらに含むことができる。
この様にすれば、入力作業の容易化を図ることができる。また、所望の設定を行った効果を容易に確認することができ、異常に対する対応の迅速化を図ることができる。
【００１１】
また、実施形態に係る発明は、上記の設定装置と；前記設定装置と電気的に接続された照明器具と；前記設定装置に追加表示に関する情報を提供する情報機器と；を具備した電気機器である。  
この電気機器によれば、入力作業の容易化を図ることができる。
【００１２】
以下、図面を参照しつつ、実施の形態について例示をする。なお、各図面中、同様の構成要素には同一の符号を付して詳細な説明は適宜省略する。  
また、以下においては、一例として、本実施の形態に係る設定装置１がスタジオや劇場などに設けられる調光卓であり、本実施の形態に係る電気機器１００がスタジオや劇場などに設けられる照明システムである場合を例示する。
【００１３】
なお、設定装置１は調光卓に限定されるわけではなく、電気機器１００も照明システムに限定されるわけではない。  
設定装置１は、例えば、携帯情報端末（ＰＤＡ；Personal Digital Assistant）などとすることができる。電気機器１００は、例えば、携帯情報端末と接続されるコンピュータなどとすることもできる。  
ただし、設定装置１を調光卓とし、電気機器１００を照明システムとすれば、入力作業が格段に容易となる。
【００１４】
図１は、本実施の形態に係る電気機器１００を例示するための構成図である。  
図２は、本実施の形態に係る電気機器１００を例示するためのブロック図である。  
なお、図１および図２においては、煩雑となるのを避けるために、各照明器具１０１に接続される電源ラインなどは省略している。  
図１および図２に示すように、電気機器１００には、照明器具１０１、中継装置１０２、接続ライン１０３、設定装置１、および情報機器２００が設けられている。
【００１５】
照明器具１０１は、設定装置１と電気的に接続されている。  
照明器具１０１は、例えば、カラー制御機能付きの照明器具とすることができる。  
照明器具１０１は、複数設けることができる。ただし、照明器具１０１の数には特に限定がなく、少なくとも１つの照明器具１０１が設けられていればよい。  
照明器具１０１は、例えば、発光色が異なる発光素子を備えたものとすることができる。この場合、発光素子は、例えば、青色の光を放射する発光ダイオードと、青色の光を吸収して所望の色の光を放射する蛍光体とを有したものとすることができる。  
照明器具１０１は、例えば、赤色の光を放射する発光素子と、緑色の光を放射する発光素子と、青色の光を放射する発光素子と、白色の光を放射する発光素子とを備えたものとすることができる。
【００１６】
中継装置１０２は、設定装置１からの操作信号を通過させるだけではなく、ミキサやデータ変換などの遅延を伴う処理を行う。  
中継装置１０２は、例えば、ＤＭＸノード装置などとすることができる。  
スタジオや劇場などに設けられた照明器具１０１に対して調光を行う際には、ＤＭＸ信号が用いられている。ＤＭＸ信号は、米国劇場技術協会（ＵＳＩＴＴ）が規格し、演出分野などに用いられるディジタル信号である。ＤＭＸ信号は、一般的には、調光制御用の調光信号の規格として用いられているＤＭＸ５１２を指している。
【００１７】
ＤＭＸ５１２は、スタートビットとストップビットに挟まれ、それぞれが８ビットにより構成されるチャネルが、５１２チャネル多重化された構成を１フレームとする信号である。  
ここで、設定装置１は、イーサネット(Ethernet)（登録商標）を用いて照明器具１０１と接続する場合がある。  
例えば、設定装置１が複数設けられる場合には、複数の設定装置１をイーサネット（登録商標）を用いて互いに接続し、互いに接続された複数の設定装置１を照明器具１０１と接続している。  
ＤＭＸノード装置は、イーサネット（登録商標）と、ＤＭＸ信号を用いる照明器具１０１との間において、信号の変換送受信を主に行う。
【００１８】
接続ライン１０３は、中継装置１０２と、複数の照明器具１０１との間を電気的に接続する。  
なお、有線の接続ライン１０３を例示したが、無線の接続ライン１０３としてもよい。
【００１９】
図２に示すように、設定装置１には、タッチパネル１０、制御部１３、制御出力部１４、および情報入力部１５が設けられている。  
タッチパネル１０には、入力部１１と表示部１２が設けられている。  
入力部１１は、指などで操作入力される位置を検知可能な位置入力装置である。  
表示部１２は、例えば、フラットパネルデスプレイなどの表示装置とすることができる。
入力部１１は、表示部１２の表示画面上に設けられている。
【００２０】
そのため、操作者は、表示部１２に表示された画像情報を参考にして、所望の情報を入力部１１から入力することができる。  
制御部１３は、例えば、ＣＰＵおよびメモリなどを備えたものとすることができる。  
制御部１３は、設定装置１に設けられた各要素の制御を行う。
【００２１】
また、制御部１３は、入力部１１から入力された情報の演算処理を行い、照明器具１０１毎の制御情報を生成する。
【００２２】
また、制御部１３は、メモリに格納されたプログラムと情報、および、後述する情報機器２００から入力された情報に基づいて、表示部１２に表示させる基礎表示、追加表示、および機能情報を生成する。  
表示部１２に表示させる基礎表示は、所望の設定を行うための表示である。例えば、基礎表示は、照明器具１０１に対して所望の設定を行うための表示である。  
表示部１２に表示させる追加表示は、例えば、操作者が入力部１１から所望の設定を行う際に参照する表示、および、所望の設定を行った効果を確認する表示の少なくともいずれかとすることができる。所望の設定を行った効果は、例えば、照明効果である。  
機能情報は、例えば、入力部１１からの入力を禁止する領域を指定する情報などとすることができる。
【００２３】
また、制御部１３は、基礎表示に重ねて追加表示を表示する。  
この際、制御部１３は、追加表示の透過率が、基礎表示の透過率よりも高くなるようにする。  
また、制御部１３は、基礎表示と、追加表示とが重なる領域においても基礎表示に対する入力を受け付ける。  
なお、基礎表示、追加表示、および機能情報に関する詳細は後述する。
【００２４】
制御出力部１４は、制御部１３において生成された照明器具１０１毎の制御情報を中継装置１０２に向けて出力する。  
照明器具１０１毎の制御情報は、中継装置１０２を介して、指定された位置にある照明器具１０１に入力される。  
照明器具１０１は、入力された制御情報に基づいて、明るさや色などの制御を行う。
【００２５】
情報入力部１５は、情報機器２００と電気的に接続されている。なお、情報入力部１５と情報機器２００とが、有線で接続される場合を例示したが、無線で接続されるようにしてもよい。
【００２６】
情報機器２００は、表示部１２に表示させる追加表示と機能情報を生成するための情報を、情報入力部１５を介して制御部１３に提供する。  
情報機器２００は、テキストデータや画像データなどを格納する記憶装置とすることもできるし、映像を撮影するための撮像装置とすることもできる。
【００２７】
次に、基礎表示、追加表示、および機能情報についてさらに説明する。  
図３は、表示部１２に表示された設定項目の削除を行うための画面を例示するための模式図である。  
なお、表示部１２の表示画面上には入力部１１が重ねて設けられている。  
図３に示すように、設定項目の削除を行うための基礎表示２０は、選択ボタン表示２１、削除項目表示２２、選択表示２３、および確定表示２４を含む。  
ここで、複数の選択ボタン表示２１には、表示部１２に表示させる画面の内容がそれぞれ記載されている。  
操作者が、所望の選択ボタン表示２１の位置に触れることで、選択された選択ボタン表示２１の位置情報が入力部１１により制御部１３に入力される。  
制御部１３は、入力された選択ボタン表示２１の位置情報に基づいて、表示部１２に表示させる基礎表示２０、および追加表示２５に関する情報を表示部１２に入力する。
【００２８】
例えば、操作者が、所定の選択ボタン表示２１に触れると、図３に例示をしたような設定項目の削除を行うための画面が呼び出される。  
複数の削除項目表示２２には、削除項目の内容がそれぞれ記載されている。  
複数の選択表示２３は、対応する削除項目表示２２に記載された項目に関する情報を消去するか否かを選択するためのものである。
【００２９】
確定表示２４は、設定項目の削除を行うための画面において設定した内容を確定するためのものである。  
なお、基礎表示２０の内容は、例示をしたものに限定されるわけではなく適宜変更することができる。
【００３０】
追加表示２５は、基礎表示２０に重ねて表示される。  
図３に例示をした追加表示２５は、所定の項目の削除を禁止する旨を表示するためのものである。  
追加表示２５は、例えば、枠状の表示２５ａと、「←削除禁止！」の文字表示２５ｂを含むものとすることができる。  
枠状の表示２５ａは、複数の削除項目表示２２および選択表示２３のうち、削除を禁止するものを囲んでいる。  
この場合、表示２５ａおよび文字表示２５ｂの大きさ、配置、色、記号、フォントなどは適宜変更することができる。
【００３１】
また、文字表示２５ｂの透過率を高くすることもできる。  
文字表示２５ｂの透過率を高くすれば、基礎表示２０の一部と、追加表示２５の一部とが重なったとしても、基礎表示２０の内容を読み取ることができる。  
そのため、追加表示２５の設計の自由度を高くすることができる。
【００３２】
機能情報は、例えば、枠状の表示２５ａの内部領域においては、入力部１１からの入力を禁止するものとすることができる。  
機能情報は、制御部１３において用いられる。  
この様な機能情報があれば、操作者による誤入力を防止することができる。
【００３３】
図４は、表示部１２に表示された設定項目の変更を行うための画面を例示するための模式図である。  
図４に示すように、設定項目の変更を行うための基礎表示３０は、選択ボタン表示２１、変更項目表示３２、選択表示３３、および確定表示３４を含む。  
操作者が、所望の選択ボタン表示２１の位置に触れることで、選択された選択ボタン表示２１の位置情報が入力部１１により制御部１３に入力される。  
制御部１３は、入力された選択ボタン表示２１の位置情報に基づいて、表示部１２に表示させる基礎表示３０、および追加表示３５に関する情報を表示部１２に入力する。
【００３４】
例えば、操作者が、所定の選択ボタン表示２１に触れると、図４に例示をしたような設定項目の変更を行うための画面が呼び出される。  
複数の変更項目表示３２には、変更項目の内容がそれぞれ記載されている。  
複数の選択表示３３は、対応する変更項目表示３２に記載された項目に関する情報を変更するか否かを選択するためのものである。
【００３５】
確定表示３４は、設定項目の変更を行うための画面において設定した内容を確定するためのものである。  
なお、基礎表示３０の内容は、例示をしたものに限定されるわけではなく適宜変更することができる。
【００３６】
追加表示３５は、基礎表示３０に重ねて表示される。  
図４に例示をした追加表示３５は、所定の項目の変更を禁止する旨を表示するためのものである。  
追加表示３５は、例えば、枠状の表示３５ａと、「←変更禁止！」の文字表示３５ｂを含むものとすることができる。  
枠状の表示３５ａは、複数の変更項目表示３２および選択表示３３のうち、変更を禁止するものを囲んでいる。  
この場合、表示３５ａおよび文字表示３５ｂの大きさ、配置、色、記号、フォントなどは適宜変更することができる。
【００３７】
また、文字表示３５ｂの透過率を高くすることもできる。  
文字表示３５ｂの透過率を高くすれば、基礎表示３０の一部と、追加表示３５の一部とが重なったとしても、基礎表示３０の内容を読み取ることができる。  
そのため、追加表示３５の設計の自由度を高くすることができる。
【００３８】
機能情報は、例えば、枠状の表示３５ａの内部領域においては、入力部１１からの入力を禁止するものとすることができる。  
機能情報は、制御部１３において用いられる。  
この様な機能情報があれば、操作者による誤入力を防止することができる。
【００３９】
図５は、表示部１２に表示されたバックアップデータの保存を行うための画面を例示するための模式図である。  
図５に示すように、バックアップデータの保存を行うための基礎表示４０は、選択ボタン表示２１、バックアップデータ表示４２、および確定表示４４を含む。  
操作者が、所望の選択ボタン表示２１の位置に触れることで、選択された選択ボタン表示２１の位置情報が入力部１１により制御部１３に入力される。  
制御部１３は、入力された選択ボタン表示２１の位置情報に基づいて、表示部１２に表示させる基礎表示４０、および追加表示４５に関する情報を表示部１２に入力する。
【００４０】
例えば、操作者が、所定の選択ボタン表示２１に触れると、図５に例示をしたようなバックアップデータの保存を行うための画面が呼び出される。  
複数のバックアップデータ表示４２には、バックアップデータの内容がそれぞれ記載されている。  
なお、バックアップデータは、図示しないバックアップデータの設定を行うための画面において設定されたものとすることができる。
【００４１】
確定表示４４は、バックアップデータの保存を行うための画面において確認した内容を確定するためのものである。  
なお、基礎表示４０の内容は、例示をしたものに限定されるわけではなく適宜変更することができる。
【００４２】
追加表示４５は、基礎表示４０に重ねて表示される。  
図５に例示をした追加表示４５は、所定のバックアップデータの保存を禁止する旨を表示するためのものである。  
追加表示４５は、例えば、枠状の表示４５ａと、「←保存禁止！」の文字表示４５ｂを含むものとすることができる。  
枠状の表示４５ａは、複数のバックアップデータ表示４２のうち、保存を禁止するものを囲んでいる。  
この場合、表示４５ａおよび文字表示４５ｂの大きさ、配置、色、記号、フォントなどは適宜変更することができる。
【００４３】
また、文字表示４５ｂの透過率を高くすることもできる。  
文字表示４５ｂの透過率を高くすれば、基礎表示４０の一部と、追加表示４５の一部とが重なったとしても、基礎表示４０の内容を読み取ることができる。  
そのため、追加表示４５の設計の自由度を高くすることができる。
【００４４】
機能情報は、例えば、枠状の表示４５ａの内部領域においては、入力されたバックアップデータの保存が禁止されるものとすることができる。  
機能情報は、制御部１３において用いられる。  
この様な機能情報があれば、操作者による誤入力があったとしても、不必要なバックアップデータが保存されるのを防止することができる。
【００４５】
図６（ａ）は、照明器具１０１毎の制御情報を入力するための基礎表示５０を例示するための模式図である。  
図６（ｂ）は、照明器具１０１毎の制御情報を入力するための追加表示５５を例示するための模式図である。
【００４６】
操作者が、図示しない選択ボタン表示の位置に触れることで、制御部１３から基礎表示５０および追加表示５５に関する情報が表示部１２に入力される。  
図６（ａ）に示すように、照明器具１０１毎の制御情報を入力するための基礎表示５０は、情報入力表示５１および器具表示５２を含む。
【００４７】
情報入力表示５１は、照明器具１０１毎の制御情報を入力するためのものである。  
照明器具１０１毎の制御情報は、例えば、明るさ、色、光の照射方向などである。  
器具表示５２は、例えば、制御を行う照明器具１０１の特定、すなわち、照明器具１０１の位置情報を入力するためのものである。
【００４８】
図６（ｂ）に示すように、追加表示５５には、照明器具１０１毎の制御情報が記載されている。  
追加表示５５は、例えば、仕込み図を画像情報として取り込んだものとすることができる。  
追加表示５５には、例えば、制御を行う照明器具１０１の位置に、明るさや色などを表す記号Ａ〜Ｅや、光の照射方向を表す矢印などが記載されている。  
なお、追加表示５５において用いられる文字、記号、矢印などは例示をしたものに限定されるわけではなく適宜変更することができる。  
また、追加表示５５において用いられる文字、記号、矢印などの大きさ、配置、色、記号、フォントなどは適宜変更することができる。
【００４９】
追加表示５５は、基礎表示５０に重ねて表示される。  
この場合、基礎表示５０における器具表示５２と、追加表示５５における照明器具１０１を表す記号とが重なるようにすれば、入力作業の容易化を図ることができる。  
また、追加表示５５における文字、記号、矢印などの透過率を高くすることもできる。  これらの透過率を高くすれば、基礎表示５０の一部と、追加表示５５の一部とが重なったとしても、基礎表示５０の内容を読み取ることができる。  
そのため、入力作業の作業性が悪くなるのを抑制することができる。
【００５０】
図３〜図６は、追加表示と基礎表示とが特定の関係にある場合であるが、任意の基礎表示に所定の追加表示を重ねて表示することもできる。  
図７は、任意の基礎表示６０に所定の追加表示６５を重ねて表示する場合を例示するための模式図である。  
この場合、基礎表示６０には特に限定がない。  
追加表示６５は、基礎表示６０に重ねて表示される。  
図７に例示をした追加表示６５は、テキストデータや静止画像などを含むものとすることができる。  
追加表示６５は、例えば、台本やメモ書きなどとすることができる。
【００５１】
この場合、追加表示６５の大きさ、配置、数、色、記号、フォントなどは適宜変更することができる。  
また、追加表示６５の透過率を高くすることもできる。  
追加表示６５の透過率を高くすれば、基礎表示６０の一部と、追加表示６５の一部とが重なったとしても、基礎表示６０の内容を読み取ることができる。  
そのため、追加表示６５として表示できるものの対象を拡げることができる。
【００５２】
図８は、任意の基礎表示７０に所定の追加表示７５を重ねて表示する場合を例示するための模式図である。  
この場合、基礎表示７０には特に限定がない。  
追加表示７５は、基礎表示７０に重ねて表示される。  
図８に例示をした追加表示７５は、例えば、４台の撮像装置により撮影されている動画７５ａ〜７５ｄなどとすることができる。  
なお、追加表示７５の大きさ、配置、透過率、数、色などは適宜変更することができる。
【００５３】
また、追加表示７５の透過率を高くすることもできる。  
追加表示７５の透過率を高くすれば、基礎表示７０の一部と、追加表示７５の一部とが重なったとしても、基礎表示７０の内容を読み取ることができる。  
そのため、追加表示７５として表示できるものの対象を拡げることができる。
【００５４】
図９は、任意の基礎表示８０に所定の追加表示８５を重ねて表示する場合を例示するための模式図である。  
この場合、基礎表示８０には特に限定がない。  
追加表示８５は、基礎表示８０に重ねて表示される。  
図９に例示をした追加表示８５は、例えば、前述した動画７５ａ〜７５ｄから選択された１つの動画（例えば、生放送中の動画など）とすることができる。  
動画の選択は、例えば、図示しない所望の選択ボタン表示に触れることで行えるようにすることができる。  
なお、追加表示８５の大きさ、配置、透過率、数、色などは適宜変更することができる。
【００５５】
また、追加表示８５の透過率を高くすることもできる。  
追加表示８５の透過率を高くすれば、基礎表示８０の一部と、追加表示８５の一部とが重なったとしても、基礎表示８０の内容を読み取ることができる。  
そのため、追加表示８５として表示できるものの対象を拡げることができる。
【００５６】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００５７】
１  設定装置、１０  タッチパネル、１１  入力部、１２  表示部、１３  制御部、２０  基礎表示、２５  追加表示、３０  基礎表示、３５  追加表示、４０  基礎表示、４５  追加表示、５０  基礎表示、５５  追加表示、６０  基礎表示、６５  追加表示、７０  基礎表示、７５  追加表示、８０  基礎表示、８５  追加表示、１００  電気機器、１０１  照明器具、２００  情報機器
【図１】
0006311927.tif 000002
【図２】
0006311927.tif 000003
【図３】
0006311927.tif 000004
【図４】
0006311927.tif 000005
【図５】
0006311927.tif 000006
【図６】
0006311927.tif 000007
【図７】
0006311927.tif 000008
【図８】
0006311927.tif 000009
【図９】
0006311927.tif 000010